(57)【特許請求の範囲】
【請求項１】
平面形状面に縦横同数の枡目が設けられたゲーム盤にゲーム用石を用いてゲームを行なう囲碁リバーシゲーム機器であって、
磁石が内部に備え付けられ、表面および裏面が白色の白色ゲーム用石と、前記白色ゲーム用石の磁石が吸着される磁石が内部に備え付けられ、表面および裏面が黒色の黒色ゲーム用石とからなるゲーム用石と、
外周側の枡目の外側に前記ゲーム用石の縦方向および横方向の最大長さの１／２以上のスペースが設けられたゲーム盤と、を有し、
前記ゲーム用石を用いてリバーシゲームを行なう場合は、前記白色ゲーム用石と前記黒色ゲーム用石を磁力で吸着させて用いられ、前記ゲーム用石を用いて囲碁ゲームを行なう場合は、前記白色ゲーム用石と前記黒色ゲーム用石を分離させて用いられ、また、外周側の枡目の外側に前記ゲーム用石の縦方向および横方向の最大長さの１／２以上のスペースが設けられているので、リバーシゲームのゲーム盤を囲碁ゲームのゲーム盤として用いても、前記ゲーム用石が前記ゲーム盤からはみ出すことがなく、囲碁ゲームを行なうことができることを特徴とする囲碁リバーシゲーム機器。
【請求項２】
前記ゲーム盤は、縦横に６枡または８枡の枡目が設けられていることを特徴とする請求項１記載の囲碁リバーシゲーム機器。
【発明の詳細な説明】
【技術分野】
【０００１】
本発明は、縦横同数の枡目が設けられたゲーム盤にゲーム用石を用いてゲームを行なう囲碁リバーシゲーム機器に関する。
【背景技術】
【０００２】
従来より、縦横同数の枡目が設けられたゲーム盤にゲーム用駒を用いてゲームを行なうリバーシゲーム機器が知られている。この種のリバーシゲーム機器として、表面が白色で裏面が黒色の薄いプラスチック板１０２の表面に白色の面ファスナー１０３が貼着され、そして、そのプラスチック板１０２の裏面に黒色の面ファスナー１０３が貼着されたリバーシ駒１０４を用いている（図９参照）。そして、そのリバーシ駒１０４をゲーム盤１０５に置く際には、リバーシ駒１０４の面ファスナー１０３がゲーム盤１０５の面ファスナー（図示略）に貼り付けられ、そして、プラスチック板１０２の表面の白色の面ファスナー１０３、または裏面の黒色の面ファスナー１０３により、リバーシ駒１０４の色を区別できるというものであった（図１０参照）。ここで、図９（ａ）は従来のリバーシゲーム機器に用いられるリバーシゲーム駒の平明図であり、図９（ｂ）は図９（ａ）のＡ−Ａ断面図であり、図１０は従来のリバーシゲーム機器を用いてリバーシゲームをしている状況を示す図である。ここで、リバーシゲーム機器とは、オセロ（登録商標）ゲーム機器のことである。
【０００３】
【特許文献１】実願平０１−０４４２０７号（実開平０２−１３５０８１号）のマイクロフィルム
【発明の開示】
【発明が解決しようとする課題】
【０００４】
しかしながら、従来のリバーシゲーム機器では、プラスチック板１０２の表面に白色の面ファスナー１０３を、またプラスチック板１０２の裏面に黒色の面ファスナー１０３を貼着されたものであるが、これは、リバーシ駒１０４の色の認識と、リバーシ駒１０４をゲーム盤１０５に貼り付けるためであり、このリバーシゲーム機器を囲碁ゲームに用いる場合には、囲碁ゲーム専用のリバーシ駒を用いなければならず、１つのゲーム機器でリバーシゲームと囲碁ゲームに用いることができないものであった。
【０００５】
本発明は上記問題点に鑑みてなされたもので、１つのゲーム機器でリバーシゲームと囲碁ゲームに用いることができるとともに、リバーシゲームおよび囲碁ゲームにそれぞれ用いた場合でも、ゲーム用石がとても使いやすい状態でゲームを行なうことができる囲碁リバーシゲーム機器を提供することを目的とする。
【課題を解決するための手段】
【０００６】
上記課題を解決し上記目的を達成するために、本発明のうち第１の態様に係るものは、平面形状面に縦横同数の枡目が設けられたゲーム盤にゲーム用石を用いてゲームを行なう囲碁リバーシゲーム機器であって、磁石が内部に備え付けられ、表面および裏面が白色の白色ゲーム用石と、白色ゲーム用石の磁石が吸着される磁石が内部に備え付けられ、表面および裏面が黒色の黒色ゲーム用石とからなるゲーム用石と、外周側の枡目の外側にゲーム用石の縦方向および横方向の最大長さの１／２以上のスペースが設けられたゲーム盤と、を有し、ゲーム用石を用いてリバーシゲームを行なう場合は、白色ゲーム用石と黒色ゲーム用石を磁力で吸着させて用いられ、ゲーム用石を用いて囲碁ゲームを行なう場合は、白色ゲーム用石と黒色ゲーム用石を分離させて用いられ、また、外周側の枡目の外側に前記ゲーム用石の縦方向および横方向の最大長さの１／２以上のスペースが設けられているので、囲碁ゲームとして用いても、ゲーム用石が前記ゲーム盤からはみ出すことがなく、囲碁ゲームを行なうことができることを特徴とするものである。
【０００７】
本発明によれば、外周側の枡目の外側にゲーム用石の縦方向および横方向の最大長さの１／２以上のスペースが設けられたゲーム盤を用いているので、リバーシゲームのゲーム盤を囲碁ゲームのゲーム盤として用いても、ゲーム用石がゲーム盤からはみ出すことがなく、囲碁ゲームを行なうことができる。また、表面および裏面が白色の白色ゲーム用石（磁石付き）と、表面および裏面が白色以外の黒色ゲーム用石（磁石付き）とからなるゲーム用石が用いられているので、白色ゲーム用石と黒色ゲーム用石を磁力で吸着させることにより、リバーシゲームとして用いることができ、また、白色ゲーム用石と黒色ゲーム用石を分離させることにより、囲碁ゲームとして用いることができる。このように、磁石が備え付けられ、表面および裏面が白色の白色ゲーム用石と、白色ゲーム用石の磁石が吸着される磁石が備え付けられ、表面および裏面が白色以外の黒色ゲーム用石とからなるゲーム用石を用いることにより、１つのゲーム機器でリバーシゲームと囲碁ゲームに用いることができるとともに、リバーシゲームおよび囲碁ゲームにそれぞれ用いた場合でも、ゲーム用石（白色ゲーム用石、黒色ゲーム用石）を「磁石」で着脱することにより結合分離することができるので、とても使いやすい状態でゲームを行なうことができる。また、ゲーム用石の内部に磁石が備え付けられているので、磁石が欠けることがなく、白色ゲーム用石に黒色ゲーム用石を吸着させる場合でも安定した状態で吸着させることができるとともに、ゲーム盤上にゲーム用石を置いてゲームを行なう際にもゲーム用石をゲーム盤上に安定した状態で置くことができる。また、ゲーム用石を用いてリバーシゲームを行なう場合でも、白色ゲーム用石と黒色ゲーム用石を安定した状態で吸着させることができる。さらに、ゲーム用石の内部に磁石が備え付けられているので、ゲーム用石に備え付けられている磁石が気になることなく、集中してゲームを行なうことができる。
【０００８】
本発明のうち第２の態様に係るものは、第１の態様に係る囲碁リバーシゲーム機器であって、ゲーム盤は、縦横に６枡または８枡の枡目が設けられていることを特徴とするものである。
【０００９】
本発明によれば、ゲーム盤は縦横に６枡または８枡の枡目が設けれているので、持ち運びに便利なコンパクトな囲碁リバーシゲーム機器にすることができるとともに、子供用や初心者用の使い勝手のよい囲碁リバーシゲーム機器にすることができる。
【発明の効果】
【００１０】
本発明によれば、１つのゲーム機器でリバーシゲームと囲碁ゲームに用いることができるとともに、リバーシゲームおよび囲碁ゲームにそれぞれ用いた場合でも、ゲーム用石がとても使いやすい状態でゲームを行なうことができるものである。
【図面の簡単な説明】
【００１１】
【図１】本発明の一実施形態における囲碁リバーシゲーム機器の外観斜視図である。
【図２】（ａ）同囲碁リバーシゲーム機器のゲーム用石の上方斜視図である。（ｂ）同囲碁リバーシゲーム機器のゲーム用石の正面図である。（ｃ）同囲碁リバーシゲーム機器のゲーム用石の平面図である。（ｄ）同囲碁リバーシゲーム機器のゲーム用石の底面図である。（ｅ）同囲碁リバーシゲーム機器のゲーム用石の下方斜視図である。（ｆ）  図２（ｃ）のＢ−Ｂ拡大断面図である。
【図３】（ａ）同囲碁リバーシゲーム機器の白色ゲーム用石の下方斜視図である。（ｂ）同囲碁リバーシゲーム機器の有色ゲーム用石の上方斜視図である。（ｃ）同囲碁リバーシゲーム機器のゲーム用石の分解断面図である。
【図４】同囲碁リバーシゲーム機器のゲーム盤の平面図である。
【図５】同囲碁リバーシゲーム機器をリバーシゲームに用いている状況を示す図である。
【図６】同囲碁リバーシゲーム機器を囲碁ゲームに用いている状況を示す図である。
【図７】（ａ）変形例における囲碁リバーシゲーム機器のゲーム用石の上方斜視図である。（ｂ）同囲碁リバーシゲーム機器のゲーム用石の正面図である。（ｃ）同囲碁リバーシゲーム機器のゲーム用石の平面図である。（ｄ）変形例における同囲碁リバーシゲーム機器のゲーム用石の底面図である。（ｅ）同囲碁リバーシゲーム機器のゲーム用石の下方斜視図である。（ｆ）  図７（ｃ）のＣ−Ｃ拡大断面図である。
【図８】（ａ）変形例における囲碁リバーシゲーム機器の白色ゲーム用石の下方斜視図である。（ｂ）同囲碁リバーシゲーム機器の有色ゲーム用石の上方斜視図である。（ｃ）同囲碁リバーシゲーム機器のゲーム用石の分解断面図である。
【図９】（ａ）従来のリバーシゲーム機器に用いられるリバーシゲーム駒の平明図である。（ｂ）図９（ａ）のＡ−Ａ断面図である。
【図１０】従来のリバーシゲーム機器を用いてリバーシゲームをしている状況を示す図である。
【発明を実施するための形態】
【００１２】
本発明の一実施形態における囲碁リバーシゲーム機器について、図面を参照にしながら説明する。ここで、図１は本発明の一実施形態における囲碁リバーシゲーム機器の外観斜視図であり、図２（ａ）は同囲碁リバーシゲーム機器のゲーム用石の上方斜視図であり、図２（ｂ）は同囲碁リバーシゲーム機器のゲーム用石の正面図であり、図２（ｃ）は同囲碁リバーシゲーム機器のゲーム用石の平面図であり、図２（ｄ）は同囲碁リバーシゲーム機器のゲーム用石の底面図であり、図２（ｅ）は同囲碁リバーシゲーム機器のゲーム用石の下方斜視図であり、図２（ｆ）は  図２（ｃ）のＢ−Ｂ拡大断面図であり、図３（ａ）は同囲碁リバーシゲーム機器の白色ゲーム用石の下方斜視図であり、図３（ｂ）は同囲碁リバーシゲーム機器の有色ゲーム用石の上方斜視図であり、図３（ｃ）は同囲碁リバーシゲーム機器のゲーム用石の分解断面図であり、図４は同囲碁リバーシゲーム機器のゲーム盤の平面図である。
【００１３】
図１に示すように、囲碁リバーシゲーム機器１は、ゲーム用石２（２ａ、２ｂ）と、ゲーム盤３と、ケーム用石収納ケース箱４などから構成されている（図１参照）。
【００１４】
ゲーム用石２は、白色ゲーム用石２ａと有色ゲーム用石２ｂ（黒色ゲーム用石）からなり、白色ゲーム用石２ａは、内部に磁石５ａが備え付けられ、表面および裏面が白色の石から構成されている。また、有色ゲーム用石２ｂは、白色ゲーム用石２ａの磁石５ａが吸着される磁石５ｂが内部に備え付けられ、表面および裏面が黒色の石から構成されている（図２および図３参照）。なお、図２および図３ではゲーム用石２ｂに「縦線」「横線」を示しているが、このゲーム用石２ｂの「縦線」「横線」はゲーム用石が黒色であることを表している。具体的には、白色ゲーム用石２ａは、硬質プラスチックを材質とし、直径２２ｍｍで高さ（肉厚）が３.５ｍｍの円柱形状（円盤形状）から形成され、上面（白色ゲーム用石表面板７ａが外された状態）の中央部に、直径１０ｍｍで高さが２ｍｍの円柱形状からなる磁石５ａが収納される白色ゲーム用石凹部６ａが形成されている。また、有色ゲーム用石２ｂについては、白色ゲーム用石２ａと同様の材質および形状、すなわち、硬質プラスチックを材質とし、直径２２ｍｍで高さ（肉厚）が３.５ｍｍの円柱形状（円盤形状）から形成され、下面（有色ゲーム用石表面板７ｂが外された状態）の中央部に、直径１０ｍｍで高さが２ｍｍの円柱形状からなる磁石５ｂが収納される有色ゲーム用石凹部６ｂが形成されている。ここで、白色ゲーム用石凹部６ａ（有色ゲーム用石凹部６ｂ）は、磁石５ａ（磁石５ｂ）と略同形状から形成されている。そして、磁石５ａ（磁石５ｂ）が白色ゲーム用石２ａ（有色ゲーム用石２ｂ）の白色ゲーム用石凹部６ａ（有色ゲーム用石凹部６ｂ）に挿入された後に、白色ゲーム用石２ａ（有色ゲーム用石２ｂ）の表面に白色ゲーム用石表面板７ａ（有色ゲーム用石表面板７ｂ）が貼り付けられることにより、白色ゲーム用石２ａ（有色ゲーム用石２ｂ）の内部に磁石５ａ（磁石５ｂ）が収納される（図３参照）。ここで、白色ゲーム用石表面板７ａ（有色ゲーム用石表面板７ｂ）は、直径２２ｍｍで高さ（肉厚）が０．５ｍｍの円柱形状（円盤形状）から形成されている。このように、ゲーム用石２（２ａ、２ｂ）が内部に磁石５ａ、５ｂが備え付けられているので、磁石５ａ、５ｂが欠けることがなく、白色ゲーム用石２ａに有色ゲーム用石２ｂを吸着させる場合でも安定した状態で吸着させることができるとともに、ゲーム盤３上にゲーム用石２（２ａ、２ｂ）を置いてゲームを行なう際にもゲーム用石２（２ａ、２ｂ）をゲーム盤３上に安定した状態で置くことができる。また、ゲーム用石２（２ａ、２ｂ）を用いてリバーシゲームを行なう場合でも、白色ゲーム用石２ａと有色ゲーム用石２ｂを安定した状態で吸着させることができる。さらに、ゲーム用石２（２ａ、２ｂ）の内部に磁石が備え付けられているので、ゲーム用石２（２ａ、２ｂ）に備え付けられている磁石５ａ、５ｂが気になることなく、集中してゲームを行なうことができる。なお、本実施形態では、ゲーム用石２（２ａ、２ｂ）の内部に磁石５ａ、５ｂを備え付けたが、これに限らず、ゲーム用石２（２ａ、２ｂ）の外部から磁石５ａ、５ｂが見えるようにして、磁石５ａ（磁石５ｂ）を白色ゲーム用石２ａ（有色ゲーム用石２ｂ）の白色ゲーム用石凹部６ａ（有色ゲーム用石���部６ｂ）に挿入させるようにしてもよい。また、本実施形態では、白色ゲーム用石表面板７ａ（有色ゲーム用石表面板７ｂ）をそれぞれ高さ０．５ｍｍの円柱形状（円盤形状）で形成させたが、これに限らず、高さ０．３ｍｍ〜２．０ｍｍ（好ましくは、直径０．５ｍｍ〜１．５ｍｍ（より好ましくは、直径０．５ｍｍ〜１．０ｍｍ））の略円柱形状（円盤形状）等にしてもよく、また、白色ゲーム用石表面板７ａ（有色ゲーム用石表面板７ｂ）を白色ゲーム用石凹部６ａ（有色ゲーム用石凹部６ｂ）と同一径で形成し、白色ゲーム用石凹部６ａ（有色ゲーム用石凹部６ｂ）に挿入させた後に、ゲーム用石２（白色ゲーム用石２ａと有色ゲーム用石２ｂ）と白色ゲーム用石表面板７ａ（有色ゲーム用石表面板７ｂ）が面一になるようにしてもよい。また、本実施形態では、白色ゲーム用石２ａの上面の中央部に白色ゲーム用石凹部６ａが形成され、有色ゲーム用石２ｂの下面の中央部に有色ゲーム用石凹部６ｂが形成されているとしたが、これに限らず、白色ゲーム用石凹部６ａ（有色ゲーム用石凹部６ｂ）が形成される面は白色ゲーム用石２ａ（有色ゲーム用石２ｂ）の上面でも下面でもよい。また、本実施形態では、ゲーム用石２（白色ゲーム用石２ａおよび有色ゲーム用石２ｂ）の材質を硬質プラスチックとしたが、これに限らず、木材など他の材料から形成させてもよい。また、本実施形態では、有色ゲーム用石２ｂを表面および裏面が黒色の石から構成されているとしたが、これに限らず、表面および裏面が緑色等の他の有色の石から構成されているようにしてもよい。また、本実施形態では、白色ゲーム用石２ａおよび有色ゲーム用石２ｂをそれぞれ直径２２ｍｍで高さが３.５ｍｍの円柱形状（円盤形状）で形成させているが、これに限らず、直径１６ｍｍ〜３０ｍｍ（好ましくは、直径２０ｍｍ〜２６ｍｍ（より好ましくは、直径２０ｍｍ〜２４ｍｍ））の円柱形状（円盤形状）等にしてもよい。また、本実施形態では、磁石５ａ（磁石５ｂ）を直径１０ｍｍで高さが２ｍｍの円柱形状（円盤形状）で形成させているが、これに限らず、白色ゲーム用石２ａおよび有色ゲーム用石２ｂの直径の８０％〜３０％の直径（好ましくは、直径の６０％〜４０％の直径（より好ましくは、直径の５０％〜４０％の長さ）の略円柱形状等にしてもよい。
ゲーム用石２は、白色ゲーム用石２ａと有色ゲーム用石２ｂ（黒色ゲーム用石）からなり、白色ゲーム用石２ａは、内部に磁石５ａが備え付けられ、表面および裏面が白色の石から構成されている。また、有色ゲーム用石２ｂは、白色ゲーム用石２ａの磁石５ａが吸着される磁石５ｂが内部に備え付けられ、表面および裏面が黒色の石から構成されている（図２および図３参照）。なお、図２および図３ではゲーム用石２ｂに「縦線」「横線」を示しているが、このゲーム用石２ｂの「縦線」「横線」はゲーム用石が黒色であることを表している。具体的には、白色ゲーム用石２ａは、硬質プラスチックを材質とし、直径２２ｍｍで高さ（肉厚）が３.５ｍｍの円柱形状（円盤形状）から形成され、上面（白色ゲーム用石表面板７ａが外された状態）の中央部に、直径１０ｍｍで高さが２ｍｍの円柱形状からなる磁石５ａが収納される白色ゲーム用石凹部６ａが形成されている。また、有色ゲーム用石２ｂについては、白色ゲーム用石２ａと同様の材質および形状、すなわち、硬質プラスチックを材質とし、直径２２ｍｍで高さ（肉厚）が３.５ｍｍの円柱形状（円盤形状）から形成され、下面（有色ゲーム用石表面板７ｂが外された状態）の中央部に、直径１０ｍｍで高さが２ｍｍの円柱形状からなる磁石５ｂが収納される有色ゲーム用石凹部６ｂが形成されている。ここで、白色ゲーム用石凹部６ａ（有色ゲーム用石凹部６ｂ）は、磁石５ａ（磁石５ｂ）と略同形状から形成されている。そして、磁石５ａ（磁石５ｂ）が白色ゲーム用石２ａ（有色ゲーム用石２ｂ）の白色ゲーム用石凹部６ａ（有色ゲーム用石凹部６ｂ）に挿入された後に、白色ゲーム用石２ａ（有色ゲーム用石２ｂ）の表面に白色ゲーム用石表面板７ａ（有色ゲーム用石表面板７ｂ）が貼り付けられることにより、白色ゲーム用石２ａ（有色ゲーム用石２ｂ）の内部に磁石５ａ（磁石５ｂ）が収納される（図３参照）。ここで、白色ゲーム用石表面板７ａ（有色ゲーム用石表面板７ｂ）は、直径２２ｍｍで高さ（肉厚）が０．５ｍｍの円柱形状（円盤形状）から形成されている。このように、ゲーム用石２（２ａ、２ｂ）が内部に磁石５ａ、５ｂが備え付けられているので、磁石５ａ、５ｂが欠けることがなく、白色ゲーム用石２ａに有色ゲーム用石２ｂを吸着させる場合でも安定した状態で吸着させることができるとともに、ゲーム盤３上にゲーム用石２（２ａ、２ｂ）を置いてゲームを行なう際にもゲーム用石２（２ａ、２ｂ）をゲーム盤３上に安定した状態で置くことができる。また、ゲーム用石２（２ａ、２ｂ）を用いてリバーシゲームを行なう場合でも、白色ゲーム用石２ａと有色ゲーム用石２ｂを安定した状態で吸着させることができる。さらに、ゲーム用石２（２ａ、２ｂ）の内部に磁石が備え付けられているので、ゲーム用石２（２ａ、２ｂ）に備え付けられている磁石５ａ、５ｂが気になることなく、集中してゲームを行なうことができる。なお、本実施形態では、ゲーム用石２（２ａ、２ｂ）の内部に磁石５ａ、５ｂを備え付けたが、これに限らず、ゲーム用石２（２ａ、２ｂ）の外部から磁石５ａ、５ｂが見えるようにして、磁石５ａ（磁石５ｂ）を白色ゲーム用石２ａ（有色ゲーム用石２ｂ）の白色ゲーム用石凹部６ａ（有色ゲーム用石���部６ｂ）に挿入させるようにしてもよい。また、本実施形態では、白色ゲーム用石表面板７ａ（有色ゲーム用石表面板７ｂ）をそれぞれ高さ０．５ｍｍの円柱形状（円盤形状）で形成させたが、これに限らず、高さ０．３ｍｍ〜２．０ｍｍ（好ましくは、直径０．５ｍｍ〜１．５ｍｍ（より好ましくは、直径０．５ｍｍ〜１．０ｍｍ））の略円柱形状（円盤形状）等にしてもよく、また、白色ゲーム用石表面板７ａ（有色ゲーム用石表面板７ｂ）を白色ゲーム用石凹部６ａ（有色ゲーム用石凹部６ｂ）と同一径で形成し、白色ゲーム用石凹部６ａ（有色ゲーム用石凹部６ｂ）に挿入させた後に、ゲーム用石２（白色ゲーム用石２ａと有色ゲーム用石２ｂ）と白色ゲーム用石表面板７ａ（有色ゲーム用石表面板７ｂ）が面一になるようにしてもよい。また、本実施形態では、白色ゲーム用石２ａの上面の中央部に白色ゲーム用石凹部６ａが形成され、有色ゲーム用石２ｂの下面の中央部に有色ゲーム用石凹部６ｂが形成されているとしたが、これに限らず、白色ゲーム用石凹部６ａ（有色ゲーム用石凹部６ｂ）が形成される面は白色ゲーム用石２ａ（有色ゲーム用石２ｂ）の上面でも下面でもよい。また、本実施形態では、ゲーム用石２（白色ゲーム用石２ａおよび有色ゲーム用石２ｂ）の材質を硬質プラスチックとしたが、これに限らず、木材など他の材料から形成させてもよい。また、本実施形態では、有色ゲーム用石２ｂを表面および裏面が黒色の石から構成されているとしたが、これに限らず、表面および裏面が緑色等の他の有色の石から構成されているようにしてもよい。また、本実施形態では、白色ゲーム用石２ａおよび有色ゲーム用石２ｂをそれぞれ直径２２ｍｍで高さが３.５ｍｍの円柱形状（円盤形状）で形成させているが、これに限らず、直径１６ｍｍ〜３０ｍｍ（好ましくは、直径２０ｍｍ〜２６ｍｍ（より好ましくは、直径２０ｍｍ〜２４ｍｍ））の円柱形状（円盤形状）等にしてもよい。また、本実施形態では、磁石５ａ（磁石５ｂ）を直径１０ｍｍで高さが２ｍｍの円柱形状（円盤形状）で形成させているが、これに限らず、白色ゲーム用石２ａおよび有色ゲーム用石２ｂの直径の８０％〜３０％の直径（好ましくは、直径の６０％〜４０％の直径（より好ましくは、直径の５０％〜４０％の長さ）の略円柱形状等にしてもよい。
【００１５】
ゲーム盤３は、硬質プラスチックを材質とし、縦２９７ｍｍ×横２１０ｍｍ（Ａ４サイズ）の大きさで、上面に縦横に６枡の枡目（６枡×６枡）が区画線８により形成されている（図４参照）。そして、縦横それぞれ６枡（６枡×６枡）から形成された各枡目は、縦２８ｍｍ×横２８ｍｍの正方形形状から構成されている。このように、ゲーム盤３は、横２１０ｍｍの大きさで、縦横６枡の枡目横長さが１６８ｍｍ（６×２８ｍｍ）であるので、ゲーム盤３の左右外周側の枡目の外側（ゲーム盤３左右端と縦横６枡の枡目左右端と間）に、２１ｍｍ（（２１０ｍｍ−１６８ｍｍ）／２）の空間、すなわち、ゲーム用石２の縦方向および横方向の最大長さの１／２以上（１１ｍｍ以上）のスペースが設けられる。なお、本実施形態では、ゲーム盤３の材質を硬質プラスチックとしたが、これに限らず、金属、木材など他の材料から形成させてもよい。このように、ゲーム盤３の枡目が形成されている面を金属とすることにより、ゲーム用石２が囲碁ゲームに用いられる場合に、ゲーム盤３に白色ゲーム用石２の磁石５ａ（有色ゲーム用石２ｂの磁石５ｂ）を吸着させることができる。また、本実施形態では、縦横それぞれ６枡（６枡×６枡）の枡目としたが、これに限らず、縦横それぞれ８枡（８枡×８枡）の枡目等の他の縦横同数の枡目にしてもよい。ただ、この場合においても、ゲーム盤２の外周側の枡目（上下左右端の枡目）の外側には、ゲーム用石２の縦方向および横方向の最大長さの１／２以上のスペースが設けられるようにゲーム盤３の枡目を形成させる必要がある。
【００１６】
ケーム用石収納ケース箱４は、ケーム用石２を収納するためのケースである。リバーシゲーム等を行なっているゲーム対戦者は、ケーム用石収納ケース箱４からケーム用石２を取り出し、そのケーム用石２がゲーム盤３上に打たれる（載置される）。
【００１７】
次に、囲碁リバーシゲーム機器を用いてリバーシゲームをしているところについて図５を用いて説明する。ここで、図５は同囲碁リバーシゲーム機器をリバーシゲームに用いている状況を示す図である。
【００１８】
ゲーム用石２がリバーシゲームに使用されるときは、白色ゲーム用石２ａと有色ゲーム用石２ｂを磁力で吸着させて用いられる。すなわち、ゲーム用石２の「磁石５ａが内蔵された白色ゲーム用石２ａ」と「磁石５ｂが内蔵された有色ゲーム用石２ｂ」を磁石５ａ（磁石５ｂ）で吸着させることにより、白色ゲーム用石２ａと有色ゲーム用石２ｂが一体になった状態で用いられる。これにより、ゲーム盤３に載置されたゲーム用石２がひっくり返されることにより、ゲーム盤３の上部が白色ゲーム用石２ａから有色ゲーム用石２ｂ（有色ゲーム用石２ｂから白色ゲーム用石２ａ）に変換される。
【００１９】
リバーシゲームは、「上部が白色ゲーム用石２ａのゲーム用石２」と「上部が有色ゲーム用石２ｂのゲーム用石２」を中央の４つの枡目内でクロスさせた状態でスタートされる。ゲーム用石２を打つ順番として、有色ゲーム用石２ｂが先手として打たれ、次に、白色ゲーム用石２ａ→有色ゲーム用石２ｂ→白色ゲーム用石２ａの順番で相互に打たれる。ここで、「ゲーム用石２を打つ」とは、ゲーム用石２をゲーム盤３上に載置させることである。そして、「上部が白色ゲーム用石２ａのゲーム用石２」は、その両端（「縦」「横」「斜め」）を「上部が有色ゲーム用石２ｂのゲーム用石２」に挟まれることにより、その「上部が白色ゲーム用石２ａのゲーム用石２」がひっくり返されて、「上部が有色ゲーム用石２ｂのゲーム用石２」となる。このようにして、ゲーム盤３のすべての枡目がゲーム用石２により満たされた状態で、「上部が白色ゲーム用石２ａのゲーム用石２」と「上部が有色ゲーム用石２ｂのゲーム用石２」の数が多い方が勝ちとなる。
【００２０】
以上のように、「表面および裏面が白色の白色ゲーム用石２ａ（磁石５ａ内蔵）」と「表面および裏面が黒色の有色ゲーム用石２ｂ（磁石５ｂ内蔵）」とからなるゲーム用石２が用いられているので、白色ゲーム用石２ａと有色ゲーム用石２ｂを磁力で吸着させることにより、リバーシゲームのゲーム用石２として用いることができる。
【００２１】
次に、囲碁リバーシゲーム機器を用いて囲碁ゲームをしているところについて図６を用いて説明する。ここで、図６は同囲碁リバーシゲーム機器を囲碁ゲームに用いている状況を示す図である。
【００２２】
ゲーム用石２が囲碁ゲームに使用されるときは、白色ゲーム用石２ａと有色ゲーム用石２ｂを分離させて用いられる。すなわち、白色ゲーム用石２ａと有色ゲーム用石２ｂを分離させ、「磁石５ａが内蔵された白色ゲーム用石２ａ」と「磁石５ｂが内蔵された有色ゲーム用石２ｂ」とが単独で用いられる。このように、「白色ゲーム用石２ａ」と「有色ゲーム用石２ｂ」が単独で用いられることにより、「白色ゲーム用石２ａと有色ゲーム用石２ｂが一体になったゲーム用石２」と比較して、石の数が２倍となる。なお、本実施形態では、「磁石５ａが内蔵された白色ゲーム用石２ａ」と「磁石５ｂが内蔵された有色ゲーム用石２ｂ」とが単独で用いられるとしたが、これに限らず、白色ゲーム用石２ａと有色ゲーム用石２ｂを分離させ、ゲーム用石２の「磁石５ａ（磁石５ｂ）が内蔵された白色ゲーム用石２ａ（有色ゲーム用石２ｂ）」と「磁石５ａ（磁石５ｂ）が内蔵された白色ゲーム用石２ａ（有色ゲーム用石２ｂ）」を磁石５ａ（磁石５ｂ）で吸着させて、「白色ゲーム用石２ａ（有色ゲーム用石２）と白色ゲーム用石２ａ（有色ゲーム用石２）が一体」になった状態で用いるようにしてもよい。すなわち、「白色ゲーム用石２ａ」と「白色ゲーム用石２ａ」を磁石５ａで吸着させ、また、「有色ゲーム用石２ｂ」と「有色ゲーム用石２ｂ」を磁石５ｂで吸着させて用いるようにしてもよい。このように、「白色ゲーム用石２ａと有色ゲーム用石２ｂを分離させて用いられる。」とは、白色ゲーム用石２ａと有色ゲーム用石２ｂが単独で用いられる場合のみならず、「白色ゲーム用石２ａと白色ゲーム用石２ａが一体」となって、また、「有色ゲーム用石２ｂと有色ゲーム用石２ｂが一体」となって用いられる場合も含まれる。
【００２３】
囲碁ゲームは、ゲーム盤３上面の縦横それぞれ７線の区画線８がそれぞれ交差したところに「白色ゲーム用石２ａ」と「有色ゲーム用石２ｂ」が打たれることによりゲームが行われる。このゲーム用石２を打つ順番として、有色ゲーム用石２ｂが先手として打たれ、次に、白色ゲーム用石２ａ→有色ゲーム用石２ｂ→白色ゲーム用石２ａの順番で相互に打たれる。ここで、「白色ゲーム用石２ａ（有色ゲーム用石２ｂ）を打つ」とは、白色ゲーム用石２ａ（有色ゲーム用石２ｂ）をゲーム盤３上に載置させることである。そして、白色ゲーム用石２ａ（有色ゲーム用石２ｂ）が有色ゲーム用石２ｂ（白色ゲーム用石２ａ）の周辺を囲むことにより、その対戦相手の有色ゲーム用石２ｂ（白色ゲーム用石２ａ）がゲーム盤３から引き上げられる。このようにして、ゲーム盤３上の区画線８がそれぞれ交差した点（「陣地」）を多く取った方が勝ちとなる。
【００２４】
以上のように、白色ゲーム用石２ａと有色ゲーム用石２ｂを分離させて、「表面および裏面が白色の白色ゲーム用石２ａ（磁石５ａ内蔵）」と「表面および裏面が黒色の有色ゲーム用石２ｂ（磁石５ｂ内蔵）」を用いることにより、囲碁ゲームのゲーム用石２として用いることができる。
【００２５】
以上説明したように、外周側の枡目の外側にゲーム用石２の縦方向および横方向の最大長さの１／２以上のスペースが設けられたゲーム盤３を用いているので、リバーシゲームのゲーム盤３を囲碁ゲームのゲーム盤３として用いても、ゲーム用石２がゲーム盤３からはみ出すことがなく、囲碁ゲームを行なうことができる。また、「表面および裏面が白色の白色ゲーム用石２ａ（磁石５ａ内蔵）」と、「表面および裏面が黒色の有色ゲーム用石２ｂ（磁石５ｂ内蔵）」とからなるゲーム用石２が用いられているので、白色ゲーム用石２ａと有色ゲーム用石２ｂを磁石５ａ（磁石５ｂ）で吸着させることにより、リバーシゲームとして用いることができ、また、白色ゲーム用石２ａと有色ゲーム用石２ｂを分離させることにより、囲碁ゲームとして用いることができる。このように、磁石５ａ（磁石５ｂ）が備え付けられ、「表面および裏面が白色の白色ゲーム用石２ａ」と、白色ゲーム用石２ａの磁石５ａに吸着される磁石５ｂが備え付けられ、「表面および裏面が黒色の有色ゲーム用石２ｂ」とが設けられたゲーム用石２を用いることにより、１つのゲーム機器でリバーシゲームと囲碁ゲームに用いることができるとともに、リバーシゲームおよび囲碁ゲームにそれぞれ用いた場合でも、ゲーム用石２（白色ゲーム用石２ａ、有色ゲーム用石２ｂ）を「磁石５ａ」と「磁石５ｂ」で着脱することにより結合分離することができるので、ゲーム用石２がとても使いやすい状態でゲームを行なうことができる。
【００２６】
今回開示された実施の形態は、すべての点で例示であって制限的なものではないと考えられるべきである。本発明の範囲は、上記した説明ではなくて特許請求の範囲によって示され、特許請求の範囲と均等の意味および範囲内でのすべての変更が含まれることが意図される。
【００２７】
以下、本発明の変形例について、図７および図８を参照にしながら説明する。ここで、図７（ａ）は変形例における囲碁リバーシゲーム機器のゲーム用石の上方斜視図であり、図７（ｂ）は同囲碁リバーシゲーム機器のゲーム用石の正面図であり、図７（ｃ）は同囲碁リバーシゲーム機器のゲーム用石の平面図であり、図７（ｄ）は同囲碁リバーシゲーム機器のゲーム用石の底面図であり、図７（ｅ）は同囲碁リバーシゲーム機器のゲーム用石の下方斜視図であり、図７（ｆ）は  図７（ｃ）のＣ−Ｃ断面図であり、図８（ａ）は同囲碁リバーシゲーム機器の白色ゲーム用石の下方斜視図であり、図８（ｂ）は同囲碁リバーシゲーム機器の有色ゲーム用石の上方斜視図であり、図８（ｃ）は同囲碁リバーシゲーム機器のゲーム用石の分解断面図である。なお、変形例については、本実施形態と同一構成については同一符号を用い、同一の作用効果を奏するものとする。変形例では、本実施形態と異なるところを中心に説明する。
【００２８】
本実施形態では、白色ゲーム用石２ａ（有色ゲーム用石２ｂ）を、直径２２ｍｍで高さ（肉厚）が３.５ｍｍの円柱形状（円盤形状）とし、上面（下面）（白色ゲーム用石表面板７ａ（有色ゲーム用石表面板７ｂ）が外された状態）の中央部に直径１０ｍｍで高さが２ｍｍの円柱形状からなる磁石５ａ（磁石５ｂ）が収納される白色ゲーム用石凹部６ａ（有色ゲーム用石凹部６ｂ）が形成されているとしたが、変形例では、白色ゲーム用石１２ａ（有色ゲーム用石１２ｂ）を、直径２２ｍｍで高さ（肉厚）が３.５ｍｍの円柱形状（円盤形状）とし、下面（白色ゲーム用石表面板７ａ（有色ゲーム用石表面板７ｂ）が外された状態）の中央部に直径１０ｍｍで高さが２．０ｍｍの円柱形状からなる磁石５ａ（磁石５ｂ）が収納される直径１０ｍｍで高さが１．５ｍｍの円柱形状からなる白色ゲーム用石凹部１６ａ（有色ゲーム用石凹部１６ｂ）が形成され、また、有色ゲーム用石１２ｂ（白色ゲーム用石１２ａ）を、直径２２ｍｍで高さ（肉厚）が３.５ｍｍの円柱形状（円盤形状）とし、上面（有色ゲーム用石表面板７ｂ（白色ゲーム用石表面板７ａ）が外された状態）の中央部に直径１０ｍｍで高さが２．０ｍｍの円柱形状からなる磁石５ｂ（磁石５ａ）が収納される直径１０ｍｍで高さが２．５ｍｍの円柱形状からなる有色ゲーム用石凹部１６ｂ（白色ゲーム用石凹部１６ａ）が形成されているところが異なる。なお、本変形例では、白色ゲーム用石１２ａ（有色ゲーム用石１２ｂ）を、直径２２ｍｍで高さが３.５ｍｍの円柱形状とし、下面の中央部に直径１０ｍｍで高さが２．０ｍｍの円柱形状からなる磁石５ａ（磁石５ｂ）が収納される直径１０ｍｍで高さが１．５ｍｍの円柱形状からなる白色ゲーム用石凹部１６ａ（有色ゲーム用石凹部１６ｂ）が形成され、また、有色ゲーム用石１２ｂ（白色ゲーム用石１２ａ）を、直径２２ｍｍで高さ（肉厚）が３.５ｍｍの円柱形状（円盤形状）とし、上面の中央部に直径１０ｍｍで高さが２．０ｍｍの円柱形状からなる磁石５ｂ（磁石５ａ）が収納される直径１０ｍｍで高さが２．５ｍｍの円柱形状からなる有色ゲーム用石凹部１６ｂ（白色ゲーム用石凹部１６ａ）が形成されたが、これに限らず、白色ゲーム用石１２ａ（有色ゲーム用石１２ｂ）の白色ゲーム用石凹部１６ａ（有色ゲーム用石凹部１６ｂ）から磁石５ａ（磁石５ｂ）が一部突出し、その突出された磁石５ａ（磁石５ｂ）が有色ゲーム用石１２ｂ（白色ゲーム用石１２ａ）の有色ゲーム用石凹部１６ｂ（白色ゲーム用石凹部１６ａ）に挿入された磁石５ｂ（磁石５ａ）と有色ゲーム用石凹部１６ｂ（白色ゲーム用石凹部１６ａ）内で吸着されるものであれば、白色ゲーム用石１２ａ（有色ゲーム用石１２ｂ）や白色ゲーム用石１２ａ（有色ゲーム用石１２ｂ）や磁石５ｂ（磁石５ａ）が他の大きさからなるものであってもよい。
【００２９】
白色ゲーム用石１２ａ（有色ゲーム用石１２ｂ）は、磁石５ａ（磁石５ｂ）が白色ゲーム用石１２ａ（有色ゲーム用石１２ｂ）の白色ゲーム用石凹部１６ａ（有色ゲーム用石凹部１６ｂ）に挿入された後に、白色ゲーム用石１２ａ（有色ゲーム用石１２ｂ）の表面に白色ゲーム用石表面板１７ａ（有色ゲーム用石表面板１７ｂ）が貼り付けられることにより、白色ゲーム用石１２ａ（有色ゲーム用石１２ｂ）の内部に磁石５ａ（磁石５ｂ）が収納される。ここで、白色ゲーム用石１２ａ（有色ゲーム用石１２ｂ）は、直径２２ｍｍで高さ（肉厚）が０．５ｍｍの円柱形状（円盤形状）から形成され、白色ゲーム用石凹部１６ａ（有色ゲーム用石凹部１６ｂ）の凹凸形状に沿った形状から形成されている。
【００３０】
このように、白色ゲーム用石１２ａ（有色ゲーム用石１２ｂ）上面中央部の直径１０ｍｍで高さが１．５ｍｍから形成された白色ゲーム用石凹部１６ａ（有色ゲーム用石凹部１６ｂ）に、直径１０ｍｍで高さが２.０ｍｍの円柱形状からなる磁石５ａ（磁石５ｂ）が挿入されると、磁石５ａ（磁石５ｂ）の高さ方向０．５ｍｍ分が白色ゲーム用石凹部１６ａ（有色ゲーム用石凹部１６ｂ）に挿入されず、白色ゲーム用石凹部１６ａ（有色ゲーム用石凹部１６ｂ）から突出した状態となる。また、有色ゲーム用石１２ｂ（白色ゲーム用石１２ａ）上面中央部の直径１０ｍｍで高さが２．５ｍｍから形成された有色ゲーム用石凹部１６ｂ（白色ゲーム用石凹部１６ａ）に、直径１０ｍｍで高さが２.０ｍｍの円柱形状からなる磁石５ｂ（磁石５ａ）が挿入されると、磁石５ｂ（磁石５ａ）を有色ゲーム用石凹部１６ｂ（白色ゲーム用石凹部１６ａ）に挿入させた後に、有色ゲーム用石凹部１６ｂ（白色ゲーム用石凹部１６ａ）の高さ方向０．５ｍｍ分の空間ができる。そして、「白色ゲーム用石凹部１６ａ（有色ゲーム用石凹部１６ｂ）の高さ方向０．５ｍｍ突出している磁石５ａ（磁石５ｂ）」を「有色ゲーム用石凹部１６ｂ（白色ゲーム用石凹部１６ａ）の磁石５ｂ（磁石５ａ）上部の０．５ｍｍの空間」に挿入させることにより、白色ゲーム用石凹部１６ａと有色ゲーム用石凹部１６ｂとが横方向移動できない状態で勘合させることができる。
【符号の説明】
【００３１】
１    囲碁リバーシゲーム機器
２    ゲーム用石
２ａ  白色ゲーム用石
２ｂ  有色ゲーム用石
３    ゲーム盤
４    ケーム用石収納ケース箱
５ａ  磁石
５ｂ  磁石
６ａ  白色ゲーム用石凹部
６ｂ  有色ゲーム用石凹部
７ａ  白色ゲーム用石表面板
７ｂ  有色ゲーム用石表面板
８    区画線
１２ａ  白色ゲーム用石
１２ｂ  有色ゲーム用石
１６ａ  白色ゲーム用石凹部
１６ｂ  有色ゲーム用石凹部
１７ａ  白色ゲーム用石表面板
１７ｂ  有色ゲーム用石表面板
【要約】      （修正有）【課題】１つのゲーム機器でオセロゲームと囲碁ゲームに用いることができるゲーム機器を提供する。【解決手段】「表面および裏面が白色の白色ゲーム用石２ａ（磁石５ａ内蔵）」と「表面および裏面が黒色の有色ゲーム用石２ｂ（磁石５ｂ内蔵）」とからなるゲーム用石２が用いられているので、白色ゲーム用石２ａと有色ゲーム用石２ｂを磁石５ａ（磁石５ｂ）で吸着させることにより、オセロゲームとして用いることができ、また、白色ゲーム用石２ａと有色ゲーム用石２ｂを分離させることにより、囲碁ゲームとして用いることができる。【選択図】図２【図１】
0006928190.tif 000002
【図２】
0006928190.tif 000003
【図３】
0006928190.tif 000004
【図４】
0006928190.tif 000005
【図５】
0006928190.tif 000006
【図６】
0006928190.tif 000007
【図７】
0006928190.tif 000008
【図８】
0006928190.tif 000009
【図９】
0006928190.tif 000010
【図１０】
0006928190.tif 000011